(57)【要約】【課題】パネル基材の端部に沿って形成された凹溝に笠木を取り付けたパネル体の美感を向上させる。【解決手段】パネル体２は、パネル基材４の端部に沿って形成された凹溝４１に笠木５を取り付けた構成を有する。パネル体２において、パネル基材４が基材張地８で覆われている一方、笠木５が笠木張地５３で覆われている。【選択図】図６
2020041338.tif 000002
【特許請求の範囲】
【請求項１】
パネル基材の端部に沿って形成された凹溝に笠木を取り付けたパネル体であって、
前記パネル基材が基材張地で覆われている一方、
前記笠木が笠木張地で覆われている、パネル体。
【請求項２】
前記笠木張地の露出面は、前記基材張地の縁部と略面一になっている、請求項１に記載のパネル体。
【請求項３】
前記笠木は、前記パネル基材の内方へ向けて開口する中空状の笠木基材を備え、
前記笠木基材が前記笠木張地で覆われている、請求項１又は２に記載のパネル体。
【請求項４】
前記笠木は、前記パネル基材の内方へ向けて開口する中空状の笠木スペーサと、前記笠木スペーサの天面部に取り付けられる笠木カバーとを備え、
前記笠木カバーが前記笠木張地で覆われている、請求項１又は２に記載のパネル体。
【発明の詳細な説明】
【技術分野】
【０００１】
本発明は、間仕切装置を構成するパネル体に関し、特に、パネル基材の端部に沿って形成された凹溝に笠木を取り付けたパネル体に関するものである。
【背景技術】
【０００２】
オフィス等の空間において、空間利用の自由度を高めるために、パネル体を立設した間仕切装置を設けることが広く行われている。間仕切装置を設けることで、周囲からの視線や音をある程度遮ることができる。このような間仕切装置において、パネル体のパネル基材上端に笠木を取り付けた構成が知られている（例えば特許文献１を参照）。いわゆるローパーティションにおいては、笠木が設けられることが多い。また、このようなパネル体においては、パネル基材を張地で覆うことがよく行われている。
【先行技術文献】
【特許文献】
【０００３】
【特許文献１】特許４９５７２１０号公報
【発明の概要】
【発明が解決しようとする課題】
【０００４】
パネル基材が張地で覆われているパネル体において、パネル基材の上端部に笠木を取り付けると、張地と笠木とで質感の統一性が得られず、美感を損なうという問題があった。特にローパーティションにおいては、笠木が視界に入りやすいので、パネル体の美感が損なわれやすい。また、パネル基材を袋状の張地で被覆した張りぐるみタイプのパネル体は、見栄えは向上するが、パネル体が張地で覆われているので複数のパネル体の連結が困難になるという問題があった。
【０００５】
本願発明は、このような現状を改善すべく成されたものである。
【課題を解決するための手段】
【０００６】
本発明のパネル体は、パネル基材の端部に沿って形成された凹溝に笠木を取り付けたパネル体であって、前記パネル基材が基材張地で覆われている一方、前記笠木が笠木張地で覆われているものである。
【０００７】
本願発明のパネル体によれば、パネル基材と笠木とがそれぞれ張地で覆われているので、パネル基材と笠木との質感の統一性を得ることができ、パネル体の美感を向上できる。このような効果は、笠木が視界に入りやすいローパーティションとして使用されるパネル体において特に顕著に現れる。また、複数のパネル体を連結する際に、笠木を取り外して凹溝内に連結部材を取り付けることができるので、複数のパネル体の連結を容易に行える。
【０００８】
本発明のパネル体において、前記笠木張地の露出面は、前記基材張地の縁部と略面一になっているようにしてもよい。
【０００９】
このような態様によれば、パネル体の端部において、パネル基材端部の凹溝に笠木がぴったりと収まった外観を得ることができ、美感がさらに向上する。
【００１０】
また、本発明のパネル体において、前記笠木は、前記パネル基材の内方へ向けて開口する中空状の笠木基材を備え、前記笠木基材が前記笠木張地で覆われているようにしてもよい。
【００１１】
このような態様によれば、パネル基材の凹溝の底部と笠木基材とで囲まれた空間に通信ケーブルや電源ケーブルなどの各種ケーブルを引き回すことができ、ケーブルの露出に起因する外観の悪化やケーブルの損傷を防止できる。
【００１２】
また、本発明のパネル体において、前記笠木は、前記パネル基材の内方へ向けて開口する中空状の笠木スペーサと、前記笠木スペーサの天面部に取り付けられる笠木カバーとを備え、前記笠木カバーが前記笠木張地で覆われているようにしてもよい。
【００１３】
このような態様によれば、上記凹溝の底部と笠木スペーサとで囲まれた空間に各種ケーブルを引き回すことができ、ケーブルの露出に起因する外観の悪化やケーブルの損傷を防止できる。また、笠木張地の外周端部を笠木スペーサと笠木カバーとの間に挟み込むようにすれば、笠木張地の外周端部が笠木の外周面に露出しないので、良好な笠木の見栄えが得られるとともに、笠木張地の外周端部の剥がれを防止できる。
【発明の効果】
【００１４】
本発明のパネル体は、着脱可能な笠木を有することで複数のパネル体の連結を容易に行える構成でありながら、パネル基材と笠木とがそれぞれ張地で覆われているので、パネル基材と笠木との質感の統一性を得ることができ、パネル体の美感を向上できる。
【図面の簡単な説明】
【００１５】
【図１】実施形態のパネル体を有する間仕切装置の設置状態を示す斜視図である。
【図２】パネル体の連結箇所上部を拡大して示す斜視図である。
【図３】パネル体の構成を示す展開斜視図である。
【図４】パネル体の一側端部の横断面図である。
【図５】パネル体と連結支柱との連結箇所上部の構造を説明するための斜視図である。
【図６】パネル基材の上端凹溝周辺及び笠木を示す縦断面図である。
【図７】笠木の変形例及びパネル基材の上端凹溝周辺を示す縦断面図である。
【図８】笠木及び上枠の変形例並びにパネル基材の上端凹溝周辺を示す縦断面図である。
【図９】笠木の変形例及びパネル基材の上端凹溝周辺を示す縦断面図である。
【図１０】実施形態のパネル体とエンドパネル体を有する間仕切装置の終端部分の設置状態を示す斜視図である。
【図１１】（Ａ）は、エンドパネル体の枠体を示す側面図、（Ｂ）は（Ａ）のＢ−Ｂ線位置に対応するエンドパネル体の横断面図である。
【発明を実施するための形態】
【００１６】
本願発明の実施形態について図面に基づいて説明する。なお、以下の説明で、各方向を特定するため、前後・左右の文言を使用するが、パネル体の厚み方向を前後方向とし、これと直交した方向（パネル体の幅方向）を左右方向と定義している。
【００１７】
図１は、実施形態のパネル体２を有する間仕切装置１の設置状態を示す斜視図である。図２は、パネル体２の連結箇所上部を拡大して示す斜視図である。図３は、パネル体２の構成を示す展開斜視図である。図４は、パネル体２の一側端部の横断面図である。図５は、パネル体２と連結支柱３との連結箇所上部の構造を説明するための斜視図である。図６は、パネル基材４の上端凹溝４１周辺及び笠木５を示す縦断面図である。
【００１８】
図１に示すように、間仕切装置１は、その大部分を構成するパネル体２と、パネル体２の側端部に連結される連結支柱３とを備えている。パネル体２は、パネル基材４と、パネル基材４を覆う基材張地８と、パネル基材４の上端部に沿って形成された上端凹溝４１に装着した笠木５を備えている。パネル基材４の側端部には、上下方向に延びる側端凹溝４２が形成されている。上端凹溝４１は、パネル基材の端部に沿って形成されて笠木が取り付けられる凹溝の一例である。
【００１９】
連結支柱３は、上下方向に延びる角管の形態を有し、パネル基材４の側端凹溝４２に嵌合係止されて、複数のパネル体２を連結可能に構成されている。隣り合うパネル体２の上端部同士は、上端凹溝４１底部の左右端部（長さ方向端部）に取り付けられる上部連結プレート７によって連結される。連結支柱３の下端部には床面に設置されるアジャスター６が取り付けられている。
【００２０】
なお、図１の間仕切装置１では、便宜的にパネル体２を平面視で直線状に連結しているが、複数のパネル体２を十字状、Ｔ字状、Ｙ字状に連結することもできる。
【００２１】
図３にも示すように、パネル体２は、芯材４３、表面材４４及び枠体４５で構成されるパネル基材４と、パネル基材４の両面を覆うクロス等の基材張地８と、パネル基材４の上端部に取り付けられる笠木５とを備えている。パネル基材４は、ハニカム構造等の芯材４３の表裏両面に厚紙等の表面材４４を貼ったサンドイッチ構造を有する。芯材４３の外周部は枠体４５で囲まれており、表面材４４は、芯材４３及び枠体４５の両面を覆うように設けられている。
【００２２】
パネル基材４の表面は、クロス等の基材張地８で覆われている。基材張地８の上端外周端部８ａは上端凹溝４１の内側に巻き込まれ（図６も参照）、側端外周端部８ｂは側端凹溝４２の内側に巻き込まれ（図４も参照）、下端外周端部８ｃは後述する下枠４８Ｌの内側に巻き込まれている。
【００２３】
四角枠状の枠体４５は、パネル基材４の側端部を構成する一対の縦枠４７，４７と、縦枠４７，４７の上下端部同士を連結する上下の横枠を構成する上枠４８Ｕ及び下枠４８Ｌとを備えている。縦枠４７の外側面に側端凹溝４２が形成されており、上枠４８Ｕの上面に上端凹溝４１が形成されている。
【００２４】
縦枠４７は、軽金属又は樹脂等を素材にした押出し加工品で中空状に形成されるとともに、パネル基材４の側端部を構成する外側面に、上下方向に延びる側端凹溝４２を備えている。また、縦枠４７は、側端凹溝４２の底部の幅方向中央部に形成された連結部材当接部４７ａと、側端凹溝４２の底部の幅方向両端部に連結部材当接部４７ａを挟んで形成された張地収納部４７ｂ，４７ｂとを備えている。張地収納部４７ｂには、側端凹溝４２の内側に巻き込まれた基材張地８の側端外周端部８ｂが収納されている。
【００２５】
図４及び図５に示すように、縦枠４７は、側端凹溝４２の連結部材当接部４７ａにパネル基材４の内側へ向けて突設された第１ねじ取付部４７ｃと、側端凹溝４２から遠ざかる方向へ第１ねじ取付部４７ｃとは離間して設けられた第２ねじ取付部４７ｄとを備えている。第１ねじ取付部４７ｃと第２ねじ取付部４７ｄは、上下方向に延びる中空溝条の形態を有している。
【００２６】
上枠４８Ｕ及び下枠４８Ｌは、軽金属又は樹脂等を素材にした押出し加工品からなり、上枠４８Ｕは上向き開口を有する断面略Ｃ字状の形態を有し、下枠４８Ｌは下向き開口を有する断面略Ｃ字状の形態を有する。そして、第１ねじ取付部４７ｃと第２ねじ取付部４７ｄに上下方向からねじ込まれる第１ねじ６１と第２ねじ６２とで、縦枠４７と上枠４８Ｕ及び下枠４８Ｌとが連結される。
【００２７】
なお、上枠４８Ｕの長さ方向端部には、金属製又は樹脂製の前後一対の上コーナー部材４９が連結されている。上コーナー部材４９は、縦枠４７と上枠４８Ｕ及び下枠４８Ｌとを連結して枠体４５を組み上げた状態で、枠体４５の上角部を形成する。
【００２８】
また、図１〜図５に示すように、間仕切装置１では、パネル体２の側端凹溝４２の内部に取り付けられる係合突起部材５０が、連結支柱３に設けられた係合穴３ａに係合することで、パネル体２と連結支柱３とが連結される。本実施形態では、係合突起部材５０は、例えば樹脂製であり、側端凹溝４２内の上下３箇所に設けられている。
【００２９】
各係合突起部材５０は、側端凹溝４２底部の連結部材当接部４７ａの幅方向中央部に形成されて上下方向に延びる係合突起部材取付溝４７ｅに嵌め込まれた状態で、１本の突起部材固定用ねじ６３でねじ止めされることで、回転不能に固着されている。
【００３０】
パネル体２と連結支柱３との連結時には、係合突起部材５０を連結支柱３の係合穴３ａ内に嵌め込んだ後、パネル体２を下方へ移動させる。これにより、係合突起部材５０の下部が連結支柱３の係合穴３ａの下部に係合するとともに、連結支柱３の側面が側端凹溝４２内の連結部材当接部４７ａに当接して、パネル体２が連結支柱３に支持される。
【００３１】
また、図５に示すように、パネル体２と連結支柱３とが連結された後、隣り合うパネル基材４の上部同士が、上部連結プレート７にて連結される。上部連結プレート７は、パネル基材４の上端凹溝４１底部の左右端部（長さ方向端部）に取り付けられる。上部連結プレート７は、長さ方向中央寄り部位に設けられた左右の第１ねじ頭部収容穴７ａと、長さ方向両端部に設けられた左右の第２ねじ挿通穴７ｂとを備えている。
【００３２】
上部連結プレート７をパネル基材４に取り付ける際には、まず、組み上げられたパネル体２のパネル基材４から笠木５を取り外し、さらに第２ねじ６２を取り外す。このとき、縦枠４７と上枠４８Ｕは、上枠４８Ｕに設けられた第１ねじ挿通穴４８Ｕａに上方から挿通されて縦枠４７の第１ねじ取付部４７ｃに捩じ込まれた第１ねじ６１で連結されている。
【００３３】
第２ねじ６２を取り外した状態で、上部連結プレート７の一端部側を上枠４８Ｕの上端凹溝４１の長さ方向端部上に配置する。上部連結プレート７は、第１ねじ頭部収容穴７ａと第１ねじ６１頭部とが位置合わせされるとともに、第２ねじ挿通穴７ｂが上枠４８Ｕの第２ねじ挿通穴４８Ｕｂに位置合わせされる。そして、先に取り外した第２ねじ６２を第２ねじ挿通穴７ｂと第２ねじ挿通穴４８Ｕｂに上方から挿通して、縦枠４７の第２ねじ取付部４７ｄに捩じ込むことで、上部連結プレート７と上枠４８Ｕとが縦枠４７に共締めさる。これにより、上部連結プレート７の一端部がパネル基材４の上角部に固着される。
【００３４】
なお、図５では、便宜上、パネル基材４の縦枠４７と上枠４８Ｕ及び係合突起部材５０とを分離して図示するとともに、芯材４３、表面材４４及び基材張地８の図示は省略されている。そして、パネル基材４に上部連結プレート７を連結する際には、パネル基材４は、図１及び図２に示すように、組み上げられた状態になっている。
【００３５】
次に、図６を参照しながら笠木５の構成について説明する。笠木５は、パネル基材４の幅方向に延びて配置され、パネル基材４の内方へ向けて開口する中空状の笠木スペーサ５１と、笠木スペーサ５１の上部に取り付けられる笠木カバー５２と、笠木カバー５２を覆うクロス等の笠木張地５３とを備えている。
【００３６】
笠木スペーサ５１は、樹脂製又は金属製であり、パネル基材４の厚み方向に離間して配置される前後のスペーサ側壁部５１ａと、前後のスペーサ側壁部５１ａの上端部同士を連結するスペーサ天面部５１ｂを備えている。スペーサ側壁部５１ａの外側面下部には、笠木スペーサ５１の長手方向に延びる凸条の笠木側係合突起部５１ｃが形成されている。他方、上端凹溝４１の内側面（上枠４８Ｕの側壁部の内側面）の下部には、上端凹溝４１の長手方向に延びる凸条の溝側係合突起部４８Ｕｃが形成されている。
【００３７】
そして、笠木５を上端凹溝４１内に嵌め込んで笠木スペーサ５１の弾性に抗して下向きに押し込むことで、笠木側係合突起部５１ｃを溝側係合突起部４８Ｕｃの下方に位置させて溝側係合突起部４８Ｕｃに係合させることで、笠木５を上端凹溝４１に取り付ける。
【００３８】
笠木スペーサ５１のスペーサ天面部５１ｂには、その下面から下向きに突出する凸条部５１ｄが形成されている。凸条部５１ｄは、笠木スペーサ５１の長手方向に沿って設けられており、凸条部５１ｄには、上向きに開口するカバー取付溝５１ｅが笠木スペーサ５１の長手方向に延びて設けられている。
【００３９】
笠木カバー５２は、樹脂製又は金属製であり、断面略Ｔ字状の形態を有し、略水平に設けられたカバー天面部５２ａと、カバー天面部５２ａの下面中央部から下向きに延びるカバー凸条部５２ｂとを有する。カバー凸条部５２ｂの先端部（下端部）には楔形突起部５２ｃが形成されている。
【００４０】
笠木カバー５２のカバー天面部５２ａは、クロス等の笠木張地５３で覆われている。笠木張地５３はカバー天面部５２ａの上面を覆っており、笠木張地５３の外周端部５３ａは、カバー天面部５２ａの下方に巻き込まれて、カバー天面部５２ａの下面に接着されている。
【００４１】
笠木張地５３で覆われた状態の笠木カバー５２は、楔形突起部５２ｃが笠木スペーサ５１のカバー取付溝５１ｅに下向きに圧入されることで、笠木スペーサ５１上部に抜け不能に取り付けられる。笠木張地５３の外周端部５３ａは、笠木スペーサ５１のスペーサ天面部５１ｂ上面と、笠木カバー５２のカバー天面部５２ａ下面との間に挟み込まれる。これにより、笠木張地５３の外周端部５３ａは、笠木５の外周面に露出しないので、笠木５の見栄えが良いとともに、笠木張地５３の外周端部の剥がれを防止できる。
【００４２】
本実施形態のパネル体２は、パネル基材４の上端部（端部）に沿って形成された凹溝としての上端凹溝４１に笠木５を取り付けたものであって、パネル基材４が基材張地８で覆われている一方、笠木５が笠木張地５３で覆われている。パネル体２では、パネル基材４と笠木５とがそれぞれ張地で覆われているので、パネル基材４と笠木５との質感の統一性を得ることができ、パネル体２の美感を向上できる。このような効果は、笠木５が視界に入りやすいローパーティションとして使用されるパネル体２において特に顕著に現れる。
【００４３】
また、パネル体２において、図６に示すように、笠木張地５３の上面（露出面）は、基材張地８の上縁部８ｄ（上枠４８Ｕの側壁部上端を覆う部分）と水平方向で略面一になっている。これにより、パネル体２の上端部において、パネル基材４の上端凹溝４１に笠木５がぴったりと収まった外観を得ることができ、美感がさらに向上する。
【００４４】
また、パネル体２において、笠木５は、パネル基材４の内方へ向けて開口する中空状の笠木スペーサ５１と、笠木スペーサ５１の上部に取り付けられる笠木カバー５２とを備え、笠木カバー５２が笠木張地５３で覆われている。これにより、図６に示すように、パネル基材４の上端凹溝４１の底部と笠木スペーサ５１とで囲まれた空間に通信ケーブルや電源ケーブルなどの各種のケーブル１００を引き回すことができ、ケーブル１００の露出に起因する外観の悪化やケーブル１００の損傷を防止できる。
【００４５】
次に、図７を参照しながら笠木５の変形例について説明する。図７は、笠木５の変形例及びパネル基材４の上端凹溝４１周辺を示す縦断面図である。この変形例の笠木５の笠木カバー５２のカバー天面部５２ａは、パネル基材４の上端凹溝４１の溝幅よりも幅広に形成されており、カバー天面部５２ａの幅方向端部が上枠４８Ｕの側壁部の上方に位置している。笠木スペーサ５１のスペーサ側壁部５１ａは、図６に示したスペーサ側壁部５１ａよりも上下寸法が大きく形成されており、スペーサ天面部５１ｂの上面の高さ位置は基材張地８の上縁部８ｄの高さ位置とおおむね一致している。
【００４６】
カバー天面部５２ａの幅方向端部を覆う笠木張地５３の幅方向縁部５３ｂは、基材張地８の側面部８ｅと上下方向で略面一になるように設けられている。これにより、パネル基材４の上端部に笠木５がぴったりと取り付けられた外観を得ることができ、美感が向上する。
【００４７】
次に、図８を参照しながら笠木５及び上枠４８Ｕの変形例について説明する。図８は、笠木５及び上枠４８Ｕの変形例並びにパネル基材４の上端凹溝４１周辺を示す縦断面図である。この変形例の笠木５は、パネル基材４の上端凹溝４１に着脱可能に取り付けられる。笠木５は、上端凹溝４１の長手方向に沿って延びるとともにパネル基材４の内方へ向けて開口する中空状の笠木基材５４と、笠木基材５４を覆う笠木張地５３とを備えている。
【００４８】
笠木基材５４は、樹脂製又は金属製であり、下向きに開口する略Ｃ字形の断面形状を有し、パネル基材４の厚み方向に離間して配置される前後の笠木基材側壁部５４ａと、前後の笠木基材側壁部５４ａの上端部同士を連結する笠木基材天面部５４ｂを備えている。笠木基材５４は、クロス等の笠木張地５３で覆われている。
【００４９】
笠木張地５３は笠木基材天面部５４ｂの上面及び笠木基材側壁部５４ａの外側面を覆っている。笠木張地５３の外周端部５３ａは、笠木基材５４の内側に巻き込まれて、笠木基材側壁部５４ａの内側面に接着されている。笠木張地５３の外周端部５３ａは、笠木５の外周面に露出しないので、笠木５の見栄えが良いとともに、笠木張地５３の外周端部の剥がれを防止できる。
【００５０】
この実施形態では、上端凹溝４１の内側面（上枠４８Ｕの側壁部の内側面）の中途部に、上端凹溝４１の長手方向に延びる凸条の笠木規制部４８Ｕｄが形成されている。そして、笠木５を上端凹溝４１内に嵌め込み、笠木５の下端部（笠木基材側壁部５４ａの下端部を覆っている笠木張地５３の下縁部分）が笠木規制部４８Ｕｄの上面に当接するまで笠木５を下向きに押し込むことで、笠木５を上端凹溝４１に取り付ける。
【００５１】
笠木基材天面部５４ｂを覆う笠木張地５３の上面（露出面）は、基材張地８の上縁部８ｄと水平方向で略面一になっている。これにより、パネル体２の上端部において、パネル基材４の上端凹溝４１に笠木５がぴったりと収まった外観を得ることができ、美感がさらに向上する。
【００５２】
また、図９に示すように、笠木張地５３の上面と基材張地８の上縁部８ｄとが略面一に配置されてはいるが、笠木張地５３の上面の方が基材張地８の上縁部８ｄよりもわずかにパネル基材４の内方に位置するようにしてもよい。これにより、パネル基材４の上端部を構成する部材や笠木５を構成する部材に製造上の寸法誤差が生じた場合でも、笠木５を上端凹溝４１に取り付けたときに、笠木５の上部（笠木張地５３の上面）が基材張地８の上縁部８ｄよりも上方に位置して見栄えが低下するのを防止できる。なお、笠木張地５３の上面の方が基材張地８の上縁部８ｄよりもわずかにパネル基材４の内方に位置する構成は、図６を参照して説明した実施形態にも適用可能である。
【００５３】
次に、間仕切装置１の終端部分（エンド部分）の構成例について説明する。図１０は、実施形態のパネル体２とエンドパネル体２Ｅを有する間仕切装置１の終端部分の設置状態を示す斜視図である。図１１の（Ａ）は、エンドパネル体２Ｅのエンドパネル枠体４５Ｅを示す側面図、（Ｂ）は（Ａ）のＢ−Ｂ線位置に対応するエンドパネル体２Ｅの横断面図である。
【００５４】
図１０に示すように、エンドパネル体２Ｅは、連結支柱３及び上部連結プレート７でパネル体２と連結される側端部とは反対側の終端側端部の上下角部がそれぞれ丸みを帯びている。図１１にも示すように、エンドパネル体２Ｅは、芯材４３、表面材４４及びエンドパネル枠体４５Ｅで構成されるエンドパネル基材４Ｅと、エンドパネル基材４Ｅの両面を覆うクロス等の基材張地８と、パネル基材４の上下端部及び終端側端部に取り付けられるエンド笠木５Ｅとを備えている。
【００５５】
エンドパネル基材４Ｅは、パネル体２のパネル基材４と同様に、ハニカム構造等の芯材４３の表裏両面に厚紙等の表面材４４を貼ったサンドイッチ構造を有する。芯材４３の外周部は枠体４５で囲まれており、表面材４４は、芯材４３及び枠体４５の両面を覆うように設けられている。
【００５６】
図１１（Ａ）に示すように、枠状のエンドパネル枠体４５Ｅは、パネル基材４の一側端部を構成して連結支柱３と連結される縦枠４７と、パネル基材４の終端側端部を構成するエンド縦枠４７Ｅと、縦枠４７，４７Ｅの上下端部同士を連結する上下の横枠を構成するエンド上枠４８ＵＥ及びエンド下枠４８ＬＥとを備えている。エンドパネル体２Ｅの縦枠４７は、パネル体２の縦枠４７と同じ形状を有し、縦枠４７の側端凹溝４２（図４等参照）内の上下３箇所に係合突起部材５０が設けられている。
【００５７】
エンド縦枠４７Ｅは、軽金属又は樹脂等を素材にした押出し加工品からなり、エンドパネル基材４Ｅの終端側端部を構成する外側面に、上下方向に延びるエンド側端凹溝４２Ｅを備えている断面略Ｃ字状の形態を有する。図１１（Ｂ）に示すように、本実施形態では、エンド縦枠４７Ｅは、パネル体２の上枠４８Ｕ（図６等参照）と同様の断面形状を有し、外向き開口を有する略Ｃ字の形態を有する。また、エンド縦枠４７Ｅの側壁部の内側面（エンド側端凹溝４２Ｅの内側面）には、エンド側端凹溝４２Ｅの長手方向（上下方向）に延びる凸条の溝側係合突起部４７Ｅｃが形成されている。図１１（Ａ）に示すように、エンド縦枠４７Ｅの上下長さ寸法は、縦枠４７の上下長さ寸法よりも短い。
【００５８】
エンド上枠４８ＵＥ及びエンド下枠４８ＬＥは、軽金属製又は樹脂製であり、エンド上枠４８ＵＥは、縦枠４７の上端部とエンド縦枠４７Ｅの上端部とを連結し、エンド下枠４８ＬＥは、縦枠４７の下端部とエンド縦枠４７Ｅの下端部とを連結している。エンド上枠４８ＵＥは、縦枠４７側からエンド縦枠４７Ｅ側へ向けて下向きに湾曲している。エンド下枠４８ＬＥは、縦枠４７側からエンド縦枠４７Ｅ側へ向けて上向きに湾曲している。
【００５９】
エンド上枠４８ＵＥ及びエンド下枠４８ＬＥは、断面略Ｃ字状の形態を有している。エンド上枠４８ＵＥは、エンドパネル基材４Ｅの外方へ向けて開口するエンド上端凹溝４１Ｅを備え、エンド下枠４８ＬＥは、エンドパネル基材４Ｅの外方へ向けて開口するエンド下端凹溝４６Ｅを備えている。
【００６０】
エンドパネル基材４Ｅにおいて、エンドパネル枠体４５Ｅで囲まれた空間内に芯材４３が配置され、表面材４４は、芯材４３及びエンドパネル枠体４５Ｅの両面を覆うように設けられている。なお、図１１（Ａ）において、芯材４３及び表面材４４の図示は省略されている。
【００６１】
エンドパネル基材４Ｅの表面は、クロス等の基材張地８で覆われている。基材張地８の外周端部は、エンドパネル基材４Ｅの端部に形成されたエンド上端凹溝４１Ｅ、側端凹溝４２（図４も参照）、エンド側端凹溝４２Ｅ及びエンド下端凹溝４６Ｅの内側に巻き込まれている。
【００６２】
図１０に示すように、エンド上端凹溝４１Ｅ、エンド側端凹溝４２Ｅ及びエンド下端凹溝４６Ｅは、エンドパネル基材４の外周端部に沿って連続して設けられている。また、エンド笠木５Ｅは、エンド上端凹溝４１Ｅ、エンド側端凹溝４２Ｅ及びエンド下端凹溝４６Ｅに渡って嵌め込まれている。図１１（Ｂ）に示すように、エンド笠木５Ｅは、エンドパネル体２Ｅの笠木５と同様の構成を有する。すなわち、エンド笠木５Ｅは、パネル基材４の内方へ向けて開口する中空状の笠木スペーサ５１と、笠木スペーサ５１の上部に取り付けられる笠木カバー５２と、笠木カバー５２を覆う笠木張地５３とを備えている。
【００６３】
図１１（Ｂ）に示すように、笠木スペーサ５１は、スペーサ天面部５１ｂの前後両端部からエンドパネル体２Ｅの内方へ向けて延びる前後のスペーサ側壁部５１ａを備えている。スペーサ側壁部５１ａの先端部外側面には、笠木スペーサ５１の長手方向に延びる凸条の笠木側係合突起部５１ｃが形成されている。笠木カバー５２は、カバー天面部５２ａの幅方向中央部からエンドパネル基材４Ｅ内方へ向けて延びるカバー凸条部５２ｂを有する。カバー凸条部５２ｂの先端部には楔形突起部５２ｃが形成されており、カバー凸条部５２ｂは、笠木スペーサ５１の凸条部５１ｄに設けられたカバー取付溝５１ｅ内に圧入されて、笠木スペーサ５１と笠木カバー５２とが連結される。
【００６４】
笠木カバー５２のカバー天面部５２ａは、クロス等の笠木張地５３で覆われている。笠木張地５３はカバー天面部５２ａの外面を覆っており、笠木張地５３の外周端部５３ａは、カバー天面部５２ａの内向き面側に巻き込まれて、カバー天面部５２ａの内向き面に接着されている。
【００６５】
エンド笠木５Ｅの両端部は、エンド上端凹溝４１Ｅ内及びエンド下端凹溝４６Ｅ内に嵌め込まれ、エンド笠木５Ｅの中途部は、エンド側端凹溝４２Ｅ内に嵌め込まれる。本実施形態では、エンド笠木５Ｅの両端部において、エンド上端凹溝４１Ｅ及びエンド下端凹溝４６Ｅが湾曲している箇所に対応する部分には、笠木スペーサ５１が設けられていない。また、笠木カバー５２は撓み変形可能な材料で形成されている。
【００６６】
上述のように、エンド縦枠４７Ｅの側壁部の内側面（エンド側端凹溝４２Ｅの内側面）には、溝側係合突起部４７Ｅｃが形成されており、エンド笠木５Ｅの長手方向中途部をエンド側端凹溝４２Ｅ内に嵌め込んで笠木スペーサ５１の弾性に抗してエンドパネル基材４Ｅ内方へ向けて押し込むことで、笠木側係合突起部５１ｃを溝側係合突起部４７Ｅｃに係合させることで、エンド笠木５Ｅの長手方向中途部をエンド側端凹溝４２Ｅに取り付ける。図１１（Ｂ）に示すように、エンド笠木５Ｅの中途部において笠木張地５３の外側面（露出面）は、基材張地８の側縁部８ｆ（エンド縦枠４７Ｅの側壁先端部を覆う部分）と略面一になっている。
【００６７】
また、エンド笠木５Ｅの両端部は、エンド上端凹溝４１Ｅ内とエンド下端凹溝４６Ｅ内に嵌め込まれる。エンド笠木５Ｅの両端部において、平面視で縦枠４７と重なる部分には笠木スペーサ５１が設けられる一方、エンド上端凹溝４１Ｅ及びエンド下端凹溝４６Ｅが湾曲している箇所に対応する部分には笠木スペーサ５１が設けられていない。他方、エンド上枠４８ＵＥ及びエンド下枠４８ＬＥの内部には、エンド上端凹溝４１Ｅ及びエンド下端凹溝４６Ｅが湾曲している箇所に、笠木カバー５２を支持する湾曲リブ又は湾曲スペーサが設けられており、エンド笠木５Ｅの両端部において笠木張地５３の外側面（露出面）が基材張地８の縁部（エンド上枠４８ＵＥ又はエンド下枠４８ＬＥの側壁先端部を覆う部分）と略面一になるように構成されている。また、エンド上端凹溝４１Ｅの湾曲箇所に湾曲リブも設ける構成においては、エンド上枠４８ＵＥ内に笠木カバー５２を支持する前後一対の湾曲リブをエンド上端凹溝４１Ｅの長手方向に沿って設ける。基材張地８の外周端部は、エンド上端凹溝４１Ｅ内に巻き込まれ、エンド上枠４８ＵＥの側壁部と湾曲リブとの間に差し込まれて収納される。
【００６８】
本実施形態のエンドパネル体２Ｅは、エンドパネル基材４Ｅの端部に沿って形成された凹溝としての凹溝４１Ｅ，４２Ｅ，４６Ｅにエンド笠木５Ｅを取り付けたものであって、エンドパネル基材４Ｅが基材張地８で覆われている一方、エンド笠木５Ｅが笠木張地５３で覆われている。これにより、エンドパネル基材４Ｅとエンド笠木５Ｅとの質感の統一性を得ることができ、エンドパネル体２Ｅの美感を向上できる。さらに、エンド笠木５Ｅは、エンドパネル基材４Ｅの上端部からエンド側端部を介して下端部にまたがって連続しており、笠木張地５３の露出面（外向き面）には切れ目や継ぎ目がないので、良好な外観が得られる。なお、エンド笠木５Ｅは、長手方向に分割された複数の笠木で構成されてもよい。例えば、エンド笠木５Ｅは、エンド上端凹溝４１Ｅに嵌め込まれる笠木と、エンド側端凹溝４２Ｅに嵌め込まれる笠木と、エンド下端凹溝４６Ｅに嵌め込まれる笠木とに分割されてもよい。
【００６９】
また、エンドパネル体２Ｅのエンド側端部及び上下端部において、エンド笠木５Ｅの笠木張地５３の露出面は、基材張地８の縁部と略面一になっているので、エンドパネル基材４Ｅの端部に沿って形成された凹溝４１Ｅ，４２Ｅ，４６Ｅに笠木５がぴったりと収まった外観を得ることができ、美感がさらに向上する。なお、図８に示した実施形態と同様に、笠木張地５３の上面の方が基材張地８の上縁部８ｄよりもわずかにエンドパネル基材４Ｅの内方に位置するようにして、製造上の寸法誤差を吸収可能な構成にしてもよい。
【００７０】
以上、本発明の具体例を説明したが、本発明は他にも様々に具体化できる。例えば、パネル基材が基材張地で覆われている一方、笠木が笠木張地で覆われている構成は、いわゆるローパーティションに限らず、様々な高さのパーティションのパネル体に適用できる。
【符号の説明】
【００７１】
２  パネル体
２Ｅ  エンドパネル体
３  連結支柱
４  パネル基材
４Ｅ  エンドパネル基材
５  笠木
５Ｅ  エンド笠木
８  基材張地
８ｄ  上縁部（基材張地の縁部）
８ｆ  側縁部（基材張地の縁部）
４１  上端凹溝（凹溝）
４１Ｅ  エンド上端凹溝（凹溝）
４２  側端凹溝
４２Ｅ  エンド側端凹溝（凹溝）
４６Ｅ  エンド下端凹溝（凹溝）
５１  笠木スペーサ
５１ｂ  スペーサ天面部
５２  笠木カバー
５３  笠木張地
５４  笠木基材
５４ｂ  笠木基材天面部
【図１】
2020041338.tif 000003
【図２】
2020041338.tif 000004
【図３】
2020041338.tif 000005
【図４】
2020041338.tif 000006
【図５】
2020041338.tif 000007
【図６】
2020041338.tif 000008
【図７】
2020041338.tif 000009
【図８】
2020041338.tif 000010
【図９】
2020041338.tif 000011
【図１０】
2020041338.tif 000012
【図１１】
2020041338.tif 000013